(57)【特許請求の範囲】
【請求項１】
底壁部の前後端部で前壁部と後壁部が上方へ折れ曲がり、前壁部の上端に内側へ鋭角に折り返した前耳部、後壁部の上端に後耳部をそれぞれ設けて形成された軒樋の端部同士を接続する継手であって、接続する軒樋の端部間に跨って両軒樋の端部の外側に装着される外継手と内側に装着される内継手からなる軒樋二重継手において、
前記外継手は、前記軒樋の外面に略沿って屈曲した底壁、前壁及び後壁を有し、前記前壁と後壁の内面上部にそれぞれ当該内面から突出していて前記軒樋の端部が当接する前方位置決め片と後方位置決め片を設けるとともに、前後位置決め片の先端縁部にそれぞれ前記内継手の前後壁部の上端部が係合する前方凹段部と後方凹段部を設け、且つ前方凹段部は外継手を軒樋の外面に装着した状態で前記前耳部の先端部よりも上方へ突出する高さに設けて形成され、
前記内継手は、軒樋の底壁部の内面に略沿う底壁と、前後壁部の下半部内面にそれぞれ略沿う前後壁を有し、前記前壁の上端に上部帯片を一体に設け、この上部帯片の上面前縁に前記外継手の前方凹段部に係合する係合突部を設けるとともに、前記後壁の上部に前記外継手の後方凹段部に係合する係合凹部を設けて形成され、
軒樋の接続端部に外継手と内継手を装着したときに、軒樋の前壁部の上端部に設けられた前耳部の上方で前記外継手の前方凹段部に前記内継手の係合突部が係合するとともに、当該係合部位の下側に位置する内継手の上部帯片の下部が前記前耳部の先端部の上面に圧接して係合するように設けた構成を有することを特徴とする軒樋二重継手。
【請求項２】
前耳部の先端に内方へ屈曲しつつ下方へ折れた前耳段部を有して形成された軒樋に対し、
外継手の前方凹段部と内継手の係合突部が前記前耳段部の上方で係合するように設けた請求項１に記載の軒樋二重継手。
【請求項３】
底壁部の前後端部で前壁部と後壁部が上方へ折れ曲がってなる軒樋の端部同士が、請求項１又は２に記載の軒樋二重継手を用いて接続された構成を有する軒樋接続構造。
【発明の詳細な説明】
【技術分野】
【０００１】
本発明は、軒樋の端部同士を突き合わせて接続するにあたり、突き合わせた端部間に跨るようにして両端部の内外両面に内継手と外継手を装着し、両継手で両端部を一体に接続する軒樋二重継手に関する。
【背景技術】
【０００２】
軒樋の端部同士を一体に接続する継手として、軒樋の突き合わせ端部間を跨ぐようにして、当該両端部の外面に外継手、内面に内継手をそれぞれ装着し、内外継手で前記端部同士を挟持固定する構造の軒樋二重継手が知られている。
図７は上部開口が幅狭な軒樋の接続に用いられる二重継手、図８は上部開口が幅広な軒樋の接続に用いられる二重継手をそれぞれ示しており、図示した二重継手１０１はともに、軒樋１００の突き合わせ端部間の外面に跨るようにして外継手１０２を接着して取り付け、次いで、内継手１０３の後端部１０３ａを外継手１０２の後壁部内面から突出した係合凹段部１０２ａに係合させるとともに、内継手１０３をその前壁部側を回転させながら軒樋１００の内部に押し込み、外継手１０２の前壁部内面から突出させた係合凹段部１０２ｂに内継手１０３の前端部に設けた係合突部１０３ｂを係合させ、前記突き合わせ端部間の内面に内継手１０３を接着して固定することにより、軒樋１００の端部同士を一体に連結する構成のものである（例えば特許文献１、２参照）。
【先行技術文献】
【特許文献】
【０００３】
【特許文献１】特開２００２−６１３５２号公報
【特許文献２】特開２０１０−１４４３２９号公報
【発明の概要】
【発明が解決しようとする課題】
【０００４】
前記図示した従来の二重継手１０１は、外継手１０２と内継手１０３の後壁部側の係合部位を軸として内継手１０３を下方へ回転させて軒樋１００の内側に押し込むという簡単な操作で内継手１０３を取り付けることができるものの、内継手１０３の前端部の係合突部１０３ｂと外継手１０２の前壁部から突出した係合凹段部１０２ｂとが軒樋１００の前耳部１００ａの下側で係合するように設けられているため係合部位が前耳部１００ａで覆われ、軒樋１００の上方から係合状態を目視により確認することができない。
【０００５】
そのため、内外継手１０２、１０３が確実に係合しているか否の確認は、軒樋１００の上部開口から手を差し入れて係合部位を触った感触から判断して行う外なく、目視による確認ではないため、係合が十分でなかったり係合位置がずれていたりするなど係合状態が不完全であることに気付きにくく、内外継手１０２、１０３の係合が不十分で軒樋１００の端部接続部分に隙間ができていたこと見逃してしまい、軒樋１００の両端部がいびつに曲がって接続したり接続部分から水が漏れたりするなどの施工不良を来し易いという問題があった。
【０００６】
本発明は従来技術の有するこのような問題点に鑑み、軒樋の突き合わせ端部を内外継手で挟んで接続する軒樋二重継手において、外継手に内継手を確実に係合しているか否かを目視により確認することができ、軒樋の内側に内継手を簡易な操作で確実に嵌め入れて定着させ、軒樋の端部同士を正確に位置決めして隙間を生じさせずに接続できるようにすることを課題とする。
【課題を解決するための手段】
【０００７】
前記課題を解決するため本発明は、底壁部の前後端部で前壁部と後壁部が上方へ折れ曲がり、前壁部の上端に内側へ鋭角に折り返した前耳部、後壁部の上端に後耳部をそれぞれ設けて形成された軒樋の端部同士を接続する継手であって、接続する軒樋の端部間に跨って両軒樋の端部の外側に装着される外継手と内側に装着される内継手からなる軒樋二重継手において、
前記外継手は、前記軒樋の外面に略沿って屈曲した底壁、前壁及び後壁を有し、前記前壁と後壁の内面上部にそれぞれ当該内面から突出していて前記軒樋の端部が当接する前方位置決め片と後方位置決め片を設けるとともに、前後位置決め片の先端縁部にそれぞれ前記内継手の前後壁部の上端部が係合する前方凹段部と後方凹段部を設け、且つ前方凹段部は外継手を軒樋の外面に装着した状態で前記前耳部の先端部よりも上方へ突出する高さに設けて形成され、
前記内継手は、軒樋の底壁部の内面に略沿う底壁と、前後壁部の下半部内面にそれぞれ略沿う前後壁を有し、前記前壁の上端に上部帯片を一体に設け、この上部帯片の上面前縁に前記外継手の前方凹段部に係合する係合突部を設けるとともに、前記後壁の上部に前記外継手の後方凹段部に係合する係合凹部を設けて形成され、
軒樋の接続端部に外継手と内継手を装着したときに、軒樋の前壁部の上端部に設けられた前耳部の上方で前記外継手の前方凹段部に前記内継手の係合突部が係合するとともに、当該係合部位の下側に位置する内継手の上部帯片の下部が前記前耳部の先端部の上面に圧接して係合するように設けた構成を有することを特徴とする。
【０００８】
本発明の軒樋二重継手を用いた軒樋端部の接続は以下のようにして行うことができる。
先ず、軒に沿って配された接続すべき両軒樋の端部間を所定の間隔離して両軒樋を支持しておき、両軒樋の端部間の外側に、内周面に接着剤が塗布された外継手を平行に配置する。そして、外継手を両軒樋の端部外側面に跨るようにしてあてがい、外継手の内方へ突出した前後位置決め片の両側に両軒樋の端部をそれぞれ当接させて軒樋の接続位置を位置決めしたならば、外継手の内面を両軒樋の端部外面に接合し接着して、両軒樋の端部間に外継手を取り付ける。
次いで、外継手が取り付けられた両軒樋の端部の内面に接着剤を塗布し、また、内継手の外周面にも接着剤を塗布した状態で、内継手の前壁上端に形成された上部帯片を把持して、内継手をその後壁上端側を下向きにして軒樋の開口上方から軒樋内部に差し入れ、内継手の後壁に形成された係合凹部を外継手の後方凹段部に係合させる。
そして、この係合部位を支点として内継手の前壁側を下方へ回転操作しながら内継手を軒樋内部に押し込み、両軒樋の端部内側面に内継手の外面を重合させるとともに、外継手の前方凹段部に内継手の係合突部を係合させることにより、両軒樋の端部内面に内継手の外面を密着接合させた状態で外継手と内継手が連結嵌合し、且つ両軒樋の端部内外両面に外継手と内継手が水密的に接着して、両軒樋の端部を一体に接続することができる。
【０００９】
これによれば、外継手の内面に突設させた前後位置決め片の両側に軒樋の端部をそれぞれ当接させることにより、軒樋の接続位置を正確に位置決めすることができ、また、軒樋の開口部上方から内継手をその後壁側を下向きにして軒樋内部に差し入れ、内継手の後壁に形成された係合凹部を外継手の後方凹段部に引っ掛けて内継手を回転させつつ係合突部を外継手の前方凹段部に係合させるという簡単な操作によって内継手を外継手に取り付けることができる。
この際、外継手の前方凹段部と内継手の係合突部が軒樋の前耳部の上方で係合するように設けてあるので、外継手と内継手の係合部位を目視により確認して、内継手を外継手に正確な係合位置で確実に連結嵌合することができる。また、軒樋の上方から係合部位が見えるので、係合が不十分であったり係合位置がずれていたりした場合には、直ちにこれを直すことができ、施工ミスを未然に防ぐことが可能である。
また、内継手を回転操作する際、その回転支点は、外継手の後壁から前方に突出した後方位置決め片に設けた後方凹段部に設定され、この後方凹段部に内継手の後壁に設けた係合凹部が係合するように設けてあるので、内継手を前記係合部を支点に回転操作して下方へ押し込むと、内継手の前壁、底壁及び後壁の全周壁に押圧力が作用して、内継手の外面が軒樋の内面に押し付けられ、内継手の外面を軒樋内面に確実に密着接合させることができる。
【００１０】
前記構成の軒樋二重継手において、軒樋がその前耳部の先端に内方へ屈曲しつつ下方へ折れた前耳段部を有して形成されている場合に、外継手の前方凹段部と内継手の係合突部が前記前耳段部の上方で係合するように設けることが好ましい。
また、外継手の前方凹段部と内継手の係合突部が係合している状態で、内継手の前壁上端に設けられた上部帯片が軒樋の前耳部の上面に当接するように設けることが好ましい。
これによれば、内継手の上部帯片が軒樋の前耳部の上面に当接して係合し、上部帯片に前耳部が圧接することで、当該前耳部のスプリング性によって上部帯片が上方へ押圧され、当該上部帯片の上面に設けられた係合突部と前記前方凹段部との係合が強まって前方凹段部から係合突部が外れ難くなる。
【００１１】
また、本発明の軒樋接続構造は、前記構成の軒樋二重継手を用いて、底壁部の前後端部で前壁部と後壁部が上方へ折れ曲がってなる適宜な形状の軒樋の端部同士を接続することにより、かかる軒樋二重継手と一体に接続された軒樋とにより構成される。
【図面の簡単な説明】
【００１２】
【図１】本発明の一実施形態である軒樋二重継手と接続する軒樋とを部材を展開して示した斜視図である。
【図２】外継手の平面図（Ａ）と側面図（Ｂ）である。
【図３】内継手の背面側外観図（Ａ）と半面を断面で示した側面図（Ｂ）である。
【図４】軒樋に取り付けられた外継手に内継手を連結嵌合する状態を示した図である。
【図５】図１の軒樋二重継手を用いて端部を接続した軒樋を含む屋根の軒部分の概略断面を示した図である。
【図６】（Ａ）、（Ｂ）は本発明の他の形態における外継手の前方凹段部と内継手の係合突部の係合態様を示した図である。
【図７】従来の軒樋二重継手の一例における軒樋に外継手を取り付けた状態（Ａ）とさらに内継手を取り付けた状態（Ｂ）の側面図である。
【図８】従来の軒樋二重継手の他の例を用いて接続された軒樋を含む屋根の軒部分の概略断面を示した図である。
【発明を実施するための形態】
【００１３】
本発明の好適な一実施形態を図面を参照して説明する。
図１は本発明の一実施形態である軒樋二重継手とこれを用いて端部同士を接続する軒樋とを部材を展開して示した斜視図であり、図中、符号１は軒樋、２と３は本形態の軒樋二重継手を構成する外継手と内継手をそれぞれ示している。
【００１４】
軒樋１は、例えば塩化ビニル樹脂などで表面が被覆された樹脂被覆鋼板、或いはアルミなどの耐蝕性を有する金属鋼板を板金加工により長手方向に沿って屈曲成形したものであり、図１に示されるように、底壁部１１の前端から斜め前方に傾斜して立ち上がる前壁部１２と、底壁部１１の後端から略垂直に屈曲して立ち上がる後壁部１３とによって、前後壁部１２、１３間の開口が底壁部１１よりも幅広な略Ｕ字形断面形状に形成してある。
【００１５】
前壁部１２の上端には内側に鋭角に折り返されていて先端に下方へ折れた前耳段部１２１ａを有する前耳部１２１、後壁部１３の上端には後方に屈曲して内側に開口した断面略コ字状の後耳部１３１がそれぞれ形成されており、前壁部１２の略中央には、水平面１２２と垂直面１２３からなる水平方向に延びた凹溝１２４が形成してある。
【００１６】
外継手２は、軒樋１の外面形状に略沿うように屈曲した底壁２１、前壁２２及び後壁２３からなる断面略Ｕ字状の合成樹脂成形品であり、軒樋１の底壁部１１と前後壁部１２、１３の外面に前記底壁２１、前壁２２及び後壁２３の内面を接合させて、軒樋１の外面に嵌合装着する形状に設けてある。
【００１７】
詳しくは、図２に示されるように、底壁２１の前端から斜め前方に立ち上がった前壁２２は、その高さ方向の略中央に軒樋１の凹溝１２４に外嵌合する段部２２１、前壁２２の上端に軒樋１の前壁部１２の上端に係合する上端支持部２２２をそれぞれ備えるとともに、その内面上部中央に上端支持部２２２の下面に連なって当該前壁２２と直交して内方へ突出した前方位置決め片２２３を設けてある。
前方位置決め片２２３は、前記上端支持部２２２に連なって後壁２３側へ適宜な幅張り出した突片であり、その突出した上側縁部には先端が下方へ突き出た鉤状の前方凹段部２２３ａが形成されており、この前方凹段部２２３ａに後述する内継手３の係合突部３２４ａが係合するようになっている。なお、前方位置決め片２２３に設けた前方凹段部２２３ａは、外継手２を軒樋１の外面に装着した状態で軒樋１の前耳部１２１の先端の前耳段部１２１ａよりも上方へ突出する高さに設けてある。
【００１８】
また、底壁２１の後端から略垂直に立ち上がった後壁２３の内面中央部上方には、当該後壁２３と直交して内方へ突出した後方位置決め片２３１を設けてあるとともに、当該後方位置決め片２３１の下部に縁部が山形に屈曲してなる後方凹段部２３１ａが形成されており、この後方凹段部２３１ａに後述する内継手３の後壁３３に形成された係合凹部３３１ａが係合するようになっている。
【００１９】
また、外継手２の中央内面には、前壁２２の前方位置決め片２２３の下端から底壁２１を挟んで後壁２３の後方位置決め片２３１の下端に亘って、内方へ突き出た筋状の突片２４を形成してある。この突片２４は、軒樋１、１の接続端部間に外継手２を装着し、両軒樋１、１の端部が突片２４の両側に当接した状態で、両軒樋１、１の内面が突片２４を介して面一となるように、その突出寸法を軒樋１の肉厚と略同じに設定してある。
【００２０】
内継手３は、軒樋１の底壁部１１の内面に略沿う底壁３１と前後壁部１２、１３の下半部内面に略沿って屈曲した前壁３２及び後壁３３を有して形成された断面略Ｕ字状の合成樹脂成形品であり、軒樋１の内面に前記底壁３１、前壁３２及び後壁３３の外面を接合させて、軒樋１の内面に嵌合装着する形状に設けてある。
【００２１】
詳しくは、図３に示されるように、底壁３１の前端から斜め前方に立ち上がった前壁３２は、その高さ方向の略中央に軒樋１の凹溝１２４の内側段部に嵌合する凹溝３２１と前記凹溝１２４の上側の前壁１２の内面に接合する中間支持面部３２２とを備えるとともに、中間支持面部３２２の上端に若干後壁３３寄りに傾斜しつつ上方へ立ち上がった前方傾斜壁部３２３を連ね、この前方傾斜壁部３２３の上端に、前方傾斜壁部３２３と略Ｔ字形に交差して前後に適宜な幅で帯状に張り出した上部帯片３２４を一体に設け、さらに上部帯片３２４の上面前縁には、前記外継手２の前方凹段部２２３ａに係合する、上方へ突出した係合突部３２４ａを設けて形成してある。
【００２２】
前記前方傾斜壁部３２３は、内継手３を軒樋１の内部に装着した状態で、その上端に設けた上部帯片３２４が軒樋１の前耳部１２１の先端の前耳段部１２１ａに圧接する高さに設けられており、図４に示されるように、外継手２の前方凹段部２２３ａに内継手３の係合突部３２４ａが係合したときに、当該係合部位の下側に位置する内継手３の上部帯片３２４の下部が、前記前耳部１２１の先端の前耳段部１２１ａの上面に圧接して係合するように設けてある。なお、上部帯片３２４の係合突部３２４ａが設けられた側とは反対側の端部３２４ｂは、内継手３を取り付け操作する際に把持し易いように下方に屈曲させてある。
【００２３】
また、内継手３の底壁３１の後端から略垂直に立ち上がった後壁３３は、軒樋１の後壁部１３の略半分の高さに設定されており、この後壁３３の上部に内方へ傾斜して折れた後方傾斜壁部３３１が連なり、当該後方傾斜壁部３３１の中央上端に、外継手２の後方凹段部２３１ａに係合する、略Ｖ字状に切り欠いた係合凹部３３１ａを設けて形成してある。
さらに、内継手３の底壁３１、前壁３２及び後壁３３の外側面には、接着剤溜まりとなる複数の凹溝３４が形成してある。
【００２４】
このように構成された外継手２と内継手３は、図４に示されるように、外面に外継手２が装着された軒樋１の内側に内継手３を嵌め入れ、外継手２の後方凹段部２３１ａに内継手３の係合凹部３３１ａを係合させ、且つ、軒樋１の前耳部１２１の上方で、外継手２の前方凹段部２２３ａに内継手３の係合突部３２４ａを係合させることにより外継手２と内継手３とが一体に嵌合し、外継手２の上面と内継手３の下面を両軒樋１の端部間の表裏両面に密着接合して両軒樋１の端部を一体に接続する。
【００２５】
外継手２に内継手３を嵌合させる操作は、内継手３の上部帯片３２４を把持して後壁３３側を下向きにして軒樋１の開口上方から軒樋１内部に差し入れ、内継手３の後方傾斜壁部３３１に形成された係合凹部３３１ａを外継手２の後方凹段部２３１ａに係合させ、この係合部位を支点として内継手３の前壁３２側を下方へ回転操作して行い、内継手３の前壁３２を下方へ押し込めば、軒樋１の前耳部１２１先端の前耳段部１２１ａに内継手３の上部帯片３２４の下面が圧接するとともに、前耳段部１２１ａの上方に突出した外継手２の前方凹段部２２３ａに内継手３の係合突部３２４ａが係合して、内継手３が外継手２に嵌合する。この際、前記前方凹段部２２１ａと係合突部３２４ａとが、軒樋１の前耳部１２１の上方で係合するため、目視により確認しながら両部を確実に係合させることが可能である。
【００２６】
このように構成された軒樋二重継手を用いた軒樋接続構造の、軒樋１、１の接続手順を説明する。
図１及び図５に示されるように、先ず、軒先に沿って取り付けた軒樋吊り具４に軒樋１、１を支持し、両軒樋１、１の端部を適宜な間隔（１０ｍｍ程度）開けて突き合わせ、当該両端部の外側に跨るようにして外継手２を平行に配置する。この際、予め外継手２の内周面に接着剤を塗布しておき、突き合わせた軒樋１、１の端部を外継手２の前後位置決め片２２３、２３１と突片２４とに当接させて接続位置を位置決めした状態で、外継手２を軒樋１、１の外側面に装着して接着固定する。
次いで、内面に接着剤が塗布された軒樋１の開口上方から、外周面に接着剤を塗布した内継手３を軒樋１、１の内部に差し入れ、内継手３の係合凹部３３１ａを外継手２の後方凹段部２３１ａに引っ掛け、これを支点として前壁３２側を下方へ回転させれば、内継手３の前壁３２、底壁３１及び後壁３３の全面に押圧力が作用して内継手３の外面が軒樋１、１の内面に押し付けられて密着接合し、同時に軒樋１の前耳部１２１の上方で内継手３の係合突部３２４ａが外継手２の前方凹段部２２３ａに係合して内外継手２、３が連結嵌合し、軒樋１、１の内外面に接着した両継手により軒樋１、１の端部を一体に接続される。
【００２７】
図６は、外継手２の前方凹段部２２３ａを、内継手３の係合突部３２４ａに係合する凹部を複数段に並べて形成した形態を示しており、同図（Ａ）は鋸状に凹部を配置した形態のもの、同図（Ｂ）は前記凹部を、内継手３を回転操作して取り付ける際に係合突部３２４ａの変位軌道上に沿って階段状に配置した形態のものである。
このように、係合突部３２４ａに係合する凹部を複数段に並べて前方凹段部２２３ａを形成し、前方凹段部２２３ａと係合突部３２４ａとの係合位置を選択的に調整できるように設けることで、軒樋１の前耳部１２１の上部が内継手３の上部帯片３２４の下部に接合しない場合であっても、前方凹段部２２３ａと係合突部３２４ａとの係合圧力を十分に高めて内継手３を外継手２内に確実に取り付けることが可能である。
【００２８】
なお、図示した外継手２と内継手３の形態は一例であり、接続する軒樋１の形状に応じて適宜な形態のものとすることができる。軒樋１を接続する作業手順も一例であり、施工環境や軒樋１の形状などに応じて適宜な手順で行うことが可能である。
【符号の説明】
【００２９】
１  軒樋、１１  底壁部、１２  前壁部、１２１  前耳部、１２１ａ  前耳段部、１３  後壁部、２  外継手、２１  底壁、２２  前壁、２２１  段部、２２２  上端支持部、２２３  前方位置決め片、２２３ａ  前方凹段部、２３  後壁、２３１  後方位置決め片、２３１ａ  後方凹段部、２４  突片、３  内継手、３１  底壁、３２  前壁、３２２  中間支持面部、３２３  前方傾斜壁部、３２４  上部帯片、３２４ａ  係合突部、３３  後壁、３３１  後方傾斜壁部、３３１ａ  係合凹段部、３４  凹溝、４  軒樋吊り具
【図１】
0005676298.tif 000002
【図２】
0005676298.tif 000003
【図３】
0005676298.tif 000004
【図４】
0005676298.tif 000005
【図５】
0005676298.tif 000006
【図６】
0005676298.tif 000007
【図７】
0005676298.tif 000008
【図８】
0005676298.tif 000009